【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
建造物に関する構造的完全性を提供して、有害な暴風力に耐えて、関連の風力による雨の吹き付けの影響を最小限に又は阻止するようになった建築システムであって、
複数の間柱を有する壁構造体と、トラス又は梁と垂木との組み合わせを有する複数の構成要素を含む屋根構造体とを含む、建造物に連結される複数のサブシステムを備え、
前記複数のサブシステムは、
基礎に連結され該基礎から部分的に延びるアンカー締結具を有するアンカーシステムと、
前記間柱のうちの隣接する間柱の間に個別に配置され、各々が前記アンカー締結具の２つに連結される複数の構造支柱を有する壁補強システムと、
前記壁補強システムが前記構造支柱を用いて前記屋根構成要素及び前記壁構造体を前記基礎にしっかり結合するように、前記構造支柱の各々を前記屋根構造体に個別に連結する複数の部材を有する、垂木／梁拘束システムと、
複数の前記梁に連結された梁ブレースを有する、ダイアフラム補強システムと、
を含むことを特徴とする建築システム。
【請求項２】
前記複数のサブシステムは、各々が前記屋根構造体の部材を複数の真束のうちの個別のものに連結する、複数の連結具を有するウインドビームシステムを含む、請求項１に記載の建築システム。
【請求項３】
前記複数のサブシステムは、壁シーティングを前記構造支柱にボルト留めする壁シーティングシステムをさらに含む、請求項１に記載の建築システム。
【請求項４】
前記複数のサブシステムは、前記屋根構造体に取り付けられる複数のルーフデッキ部材の隣接するものの間に定められた接合部の各々に施工される防水テープシールを有する、ルーフデッキシステムをさらに含む、請求項１に記載の建築システム。
【請求項５】
前記複数のサブシステムは、前記梁ブレースに対して角度付られた筋かい部材と、前記筋かい部材を前記建造物の切妻壁に連結するパーリングブレースとを有する、ダイアフラム補強システムをさらに含む、請求項１に記載の建築システム。
【請求項６】
前記複数のサブシステムは、
前記建造物の居住部と前記建造物の外部の周囲空気との間を連通する外部アクセス通気孔を有しておらず、
前記屋根空間の空気を調整するために、前記居住部の調整部を屋根空間に直接、接続する内部アクセス通気孔を有する、
通気システムをさらに含む、請求項１に記載の建築システム。
【請求項７】
前記複数のサブシステムは、
前記建造物の窓に付加される取り外し可能な保護カバーと、
一連のカバーブラケット及び前記構造物への取り付けを可能とし前記保護カバーを受け入れて結果的に該カバーブラケットに装着されて協働する取り付け金具と、
を有する窓／ドア保護シールシステムをさらに含む、請求項１に記載の建築システム。
【請求項８】
前記窓／ドア保護シールシステムは、外部ドアを覆って又はその内側に設けられ、該外部ドアが吹き込まれること又は吸い出されることを防止するように機能する保護カバーをさらに含む、請求項７記載の建築システム。
【請求項９】
前記複数のサブシステムは、防風ドア及び換気口を装備した独立したユニット化された部屋を定める防風セーフルームシステムをさらに含み、前記ユニット化された部屋は前記建造物の内部に配置される、請求項１に記載の建築システム。
【請求項１０】
前記防風ドアは、嵐のような突風、飛翔デブリ、及び／又は流入水に曝される場合の閉鎖を保証するロック及び安全構成要素と、水の流入を防ぐ水密シールとをさらに含む、請求項９に記載の建築システム。
【請求項１１】
前記２つのアンカー締結具は、前記構造支柱の長手方向軸の両側に配置され、前記構造支柱の軸回転を抑制するようになっている、請求項１に記載の建築システム。
【請求項１２】
建造物に関する構造的完全性を提供して、有害な暴風力に耐えて、関連の風力による雨の吹き付けの影響を最小限に又は阻止するようになった建築システムであって、
複数の間柱を有する壁構造体と、トラス又は梁と垂木との組み合わせを有する複数の構成要素を含む屋根構造体とを含む、建造物に連結される複数のサブシステムを備え、
前記複数のサブシステムは、
基礎に部分的に埋め込まれる２つのアンカー締結具の複数セットを備え、前記２つのアンカー締結具の前記基礎から外に延びる部分を有するアンカーシステムと、
前記間柱のうちの隣接する間柱の間に個別に配置される複数の構造支柱を有する壁補強システムであって、前記２つのアンカー締結具の一部は、両方とも前記前記構造支柱に連結され、前記構造支柱は、反対側で前記屋根構造体に連結され、前記壁補強システムは、前記構造支柱を用いて前記屋根構成要素及び前記壁構造体を前記基礎にしっかり固定するようになっている壁補強システムと、
ウインドビームシステムと、を含み、
前記ウインドビームシステムは、
梁及び真束に連結されるウインドビーム弦連結具であって、前記真束は前記梁から横方向に延びるとともに前記梁に連結され、また、前記真束は隣接する第１及び第２の垂木に連結されるウインドビーム弦連結具と、
隣接する第１及び第２の垂木及び前記真束に連結されるウインドビーム頭部連結部と、
前記真束とは独立して、前記ウインドビーム弦連結具を前記ウインドビーム頭部連結部に連結するウインドビーム伸長部と、を含む、建築システム。
【請求項１３】
前記壁補強システムは、前記構造支柱の両側に個別に連結される、第１及び第２のアンカーブラケットをさらに含む、請求項１２に記載の建築システム。
【請求項１４】
前記複数のサブシステムは、前記トラスの個別の上弦部及び下弦部に連結する垂木拘束伸長部を有する垂木／梁拘束システムをさらに含む、請求項１２に記載の建築システム。
【請求項１５】
前記複数のサブシステムは、各々が前記屋根構造体の垂木及び梁、及び前記構造支柱の１つに連結する複数の垂木拘束伸長部を有する、垂木／梁拘束システムをさらに含む、請求項１２に記載の建築システム。
【請求項１６】
前記複数のサブシステムは、前記構造支柱の複数にボルト留めされた壁シーティングを有する壁シーティングシステムを含む、請求項１２に記載の建築システム。
【請求項１７】
前記複数のサブシステムは、複数のルーフデッキ部材の隣接するものの間に定められた接合部の各々に施工される防水テープシールを有する、ルーフデッキシステムをさらに含む、請求項１２に記載の建築システム。
【請求項１８】
複数のルーフデッキ部材の隣接するものの間に定められた接合部の各々は、相欠き接合である、請求項１７に記載の建築システム。
【請求項１９】
複数のルーフデッキ部材の隣接するものの間に定められた接合部に配置され、該接合部を補強するように機能する整列ブロックをさらに含む、請求項１７に記載の建築システム。
【請求項２０】
前記複数のサブシステムは、前記建造物の切妻壁を補強するように機能するダイアフラム補強システムをさらに含み、該ダイアフラム補強システムは、前記複数の梁に連結された梁ブレースと、前記梁ブレースに対して角度付られた筋かい部材と、前記筋かい部材を前記建造物の切妻壁に連結するパーリングブレースとを有する、請求項１２に記載の建築システム。
【請求項２１】
建造物に関する構造的完全性を提供して、有害な暴風力に耐えて、関連の風力による雨の吹き付けの影響を最小限に又は阻止するようになった建築システムであって、
複数の間柱を有する壁構造体と、トラス又は梁と垂木との組み合わせを有する複数の構成要素を含む屋根構造体とを含む、建造物に連結される複数のサブシステムを備え、
前記複数のサブシステムは、
基礎に連結され該基礎から部分的に延びるアンカー締結具を有するアンカーシステムと、
前記間柱のうちの隣接する間柱の間に個別に配置され、各々が前記アンカー締結具の２つに連結される複数の構造支柱を有する壁補強システムと、
前記壁補強システムが前記構造支柱を用いて前記屋根構成要素及び前記壁構造体を前記基礎にしっかり結合するように、前記構造支柱の各々を前記屋根構造体に個別に連結する複数の部材を有する、垂木／梁拘束システムと、
屋根構造体の部材を複数の真束の個別のものに連結する複数の連結具を有するウインドビームシステムと、
前記屋根構造体に取り付けられる複数のルーフデッキ部材の隣接するものの間に定められた接合部の各々に施工される防水テープシールを有するルーフデッキシステムと、
前記建造物の切妻端を補強するように機能し、複数の前記梁に連結された梁ブレースを有する、ダイアフラム補強システムと、を含む建築システム。
【請求項２２】
前記ダイアフラム補強システムは、前記梁ブレースに対して角度が有する筋かい部材と、前記筋かい部材を前記建造物の切妻壁に連結するパーリングブレースとを含む、請求項２１に記載の建築システム。
【請求項２３】
前記ウインドビームシステムの前記複数の連結具は、
梁及び該梁から角度を成して延びる結合部材に連結するウインドビーム弦連結具と、
隣接する第１及び第２の垂木及び前記結合部材に連結するウインドビーム頭部連結部と、
を含む、請求項２１に記載の建築システム。